(57)【特許請求の範囲】
【請求項１】
複数の遊技機を集合的に設けた遊技機群設備本体と、上記遊技機群設備本体の一端側に設けられ、カードＲ／Ｗ及びカードＲ／Ｗ制御装置を内蔵する遊技用装置と、から構成される遊技機群設備において、
上記遊技機群設備本体の一端側に設備側開口部を形成して、該設備側開口部の周縁に被取付部を設け、
上記遊技用装置の裏面側に装置側開口部を形成して、該装置側開口部の周縁に上記被取付部に対応する取付部を設け、
上記設備側開口部の周縁と上記装置側開口部の周縁とを合致させ、上記遊技機群設備本体と遊技用装置とを一体的に設けるように構成し、
上記遊技用装置の正面側には、施錠装置を備えた開閉自在の開閉ドアを設け、該開閉ドアを開いた状態で、カードＲ／Ｗを手前側にスライドさせて引き出すことにより、上記遊技用装置の取付部と上記遊技機群設備本体の被取付部との固定またはその固定の解除を行えるものとし、
上記遊技機群設備本体は、他端側にも開口部を設け、一端側に開口部を形成した他の遊技機群設備本体と連結させることで順次拡張可能としたことを特徴とする遊技機群設備。
【発明の詳細な説明】
【０００１】
【発明の属する技術分野】
この発明は、複数の遊技機を集合的に設けた遊技機群設備本体と、上記遊技機群設備本体の一端側に設けられ、カードＲ／Ｗ及びカードＲ／Ｗ制御装置を内蔵する遊技用装置と、から構成される遊技機群設備に関するものである。
【０００２】
【従来の技術】
従来、各種遊技機が複数集合的に設置されている遊技機群設備、例えば両側２列に遊技機が設けられる「島設備」は、その端部では平面で切り落としたような構造となっている。
一方、遊技店には、遊技に関連して必要となる、例えばカード発行機やＩＣカードに金額を付加する大型金額付加機のような装置がいくつか配置してあり、それらの装置は、店内のレイアウトの関係で、島設備の端部にできるだけ近接させて配置してある場合が多い。
【０００３】
【発明が解決しようとする課題】
しかし、上記のように装置を島設備の端部に配置するだけであれば、それらの装置は一体的に島設備と融合しておらず、このため遊技店の美観を損ねる結果となっていた。
また、それらの装置は、単体として移動可能に構成されているので、夜間、遊技店に潜入して運び出すことも可能であり、保安上の問題点も有していた。
【０００４】
この発明は上記に鑑み提案されたもので、遊技店の美観を向上させることができ、また保安上も安全である遊技機群設備を提供することを目的とする。
【０００５】
【課題を解決するための手段】
上記目的を達成するために、この発明の遊技機群設備は、複数の遊技機を集合的に設けた遊技機群設備本体と、上記遊技機群設備本体の一端側に設けられ、カードＲ／Ｗ及びカードＲ／Ｗ制御装置を内蔵する遊技用装置と、から構成される遊技機群設備において、上記遊技機群設備本体の一端側に設備側開口部を形成して、該設備側開口部の周縁に被取付部を設け、上記遊技用装置の裏面側に装置側開口部を形成して、該装置側開口部の周縁に上記被取付部に対応する取付部を設け、上記設備側開口部の周縁と上記装置側開口部の周縁とを合致させ、上記遊技機群設備本体と遊技用装置とを一体的に設けるように構成し、上記遊技用装置の正面側には、施錠装置を備えた開閉自在の開閉ドアを設け、該開閉ドアを開いた状態で、カードＲ／Ｗを手前側にスライドさせて引き出すことにより、上記遊技用装置の取付部と上記遊技機群設備本体の被取付部との固定またはその固定の解除を行えるものとし、上記遊技機群設備本体は、他端側にも開口部を設け、一端側に開口部を形成した他の遊技機群設備本体と連結させることで順次拡張可能としたことを特徴とする。
【０００６】
【発明の実施の形態】
以下にこの発明の実施の形態を図面に基づいて詳細に説明する。
図１はこの発明の遊技機群設備の一例としての島設備の斜視図、図２はその側面図である。これらの図において、島設備１は、両側２列に複数の遊技機３１…が集合的に設けてある島設備本体３と、その島設備本体３の一端側に一体的に設けてある大型金額付加機２とから構成されている。この大型金額付加機２は、当該遊技店での遊技システムで使用するＩＣカードに金額を付加するための装置である。なお、島設備本体３と大型金額付加機２とは、上記のように一体的に構成してあるが、その取付構造については詳細に後述する。
【０００７】
島設備本体３には、その両側に上記の遊技機３１…が備えてある。遊技機３１…は、パチンコ球を遊技媒体とするパチンコ機やメダルを遊技媒体とするパチスロ等であり、遊技者が当該遊技機３１にＩＣカードを装着したときそのＩＣカードに記憶してある金額データの範囲内で変換した遊技データに基づいて、またはそのＩＣカードに予め記憶されている遊技データに基づいて遊技者に所定の遊技を行わせるものであり、その遊技の結果として獲得した特典（賞球数データ、賞コインデータすなわち遊技データ）は当該ＩＣカードに反映されてＩＣカードの遊技データが更新される。
【０００８】
この遊技機３１…の各々には台間金額付加機３２…が備えてあり、遊技者はこの台間金額付加機３２…にＩＣカードを装着することにより、ＩＣカードに所望の金額を付加でき、遊技中には大型金額付加機２まで行かなくてもその場で簡易に金額を付加できるようになっている。
【０００９】
また、遊技機３１…の上方には表示部３５…が設けてあり、遊技者が店員を呼び寄せるためのスイッチや点滅ランプなどが備えてある。。
さらに、島設備本体３の一端側で大型金額付加機２と隣接する位置には、その上部に、一対の装飾ランプ３３が突設してあり、遊技機３１…での遊技状態が例えば大当たりとなればこの装飾ランプ３３が点滅して遊技者の興趣を高めるようになっている。
また、島設備本体３の一端側で上記の装飾ランプ３３の下方には、島設備１を装飾し、その美観を高めるべく、一対の装飾用プレート３４が設けてある。
【００１０】
一方、大型金額付加機２は、スタンドボックスタイプの筐体２１の内部に後述する主要機器が収納してあり、その筐体２１前面の一側縁には正面操作盤２２が開閉可能に軸着してある。
【００１１】
この大型金額付加機２の正面側および内部の構成を図３および図４を用いて説明する。
図３は大型金額付加機の正面操作盤の構成を示す図、図４は正面操作盤を開けてその内部構成を示す図である。
【００１２】
正面操作盤２２は前方方向に全体的に湾曲した形状になっており、各操作部位の配置とともに、この正面操作盤２２の前に立って操作する遊技者（使用者）が操作しやすい構成になっている。
【００１３】
正面操作盤２２の上部中央でちょうど遊技者の目の高さに相当する位置にはスピーカ２３６とＣＲＴ表示画面２３５とから成るガイダンス部２２２が設けてある。
【００１４】
このガイダンス部２２２の中央下方にはＩＣカードを挿入するためのカード挿入口２２３が設けてあり、またガイダンス部２２２の右側下方には千円、５千円、１万円の各紙幣を挿入するための紙幣挿入口２２６が、さらにガイダンス部２２２の左側下方には百円、５百円の各硬貨を投入するための硬貨投入口２２５がそれぞれ設けてある。また、この硬貨投入口２２５の少し上方には返却レバー２２４が設けてある。これらのカード挿入口２２３、紙幣挿入口２２６および硬貨投入口２２５は、遊技者がＩＣカードや紙幣、硬貨を確認しながら挿入または投入できるように遊技者の肩または胸に相当する高さに配置してある。
【００１５】
紙幣挿入口２２６の左側には、左下方向に向けて、キャンセルスイッチ２２７、ＩＣカードに１万円を付加するための１万円付加スイッチ２３１、５千円を付加するための５千円付加スイッチ２３２、および３千円を付加するための３千円付加スイッチ２３３が順に配列してある。これらの各種スイッチ２３１等は遊技者が紙幣または硬貨を投入したら引き続きスイッチを押せるような位置に、またＣＲＴ表示画面２３５での案内画面を見ながらスイッチを押せるような位置に配置され、いずれのスイッチにもタッチプレートに触れることによりオンとなるタッチ式センサを用いてある。またそのタッチプレートに遊技者が触れるとそのスイッチ２２７，２３１，２３２，２３３の周りが明るく発光するように確認用ランプ（図示省略）が設けてあり、遊技者はその確認用ランプ等の点灯によってそのオン状態を確認できるようになっている。
【００１６】
正面操作盤２２の中央より少し下方の右側には紙幣取り出し口２２９が、また左側には硬貨取り出し口２３０がそれぞれ配置してある。これらの各取り出し口２２９，２３０は遊技者が手を少し伸ばせば払い出された紙幣や硬貨を容易に取れる位置に配置してある。
【００１７】
遊技者が上記返却レバー２２４を回転させると投入した硬貨が硬貨取り出し口２３０に払い出される。また、遊技者がキャンセルスイッチ２２７をオンさせたときは、それまでに投入された紙幣、硬貨の合計金額に相当する分を上記の紙幣取り出し口２２９や硬貨取り出し口２３０に払い出すとともに、ＩＣカードもカード挿入口２２３から排出して遊技者に返却するようになっている。
【００１８】
正面操作盤２２の左側側縁にはこの正面操作盤２２を筐体２１側にロックして施錠するための施錠装置２９０が設けてある。
図５は施錠装置の一例を概略的に示す図である。図において、施錠装置２９０は、正面操作盤２２側に設けた可動部材２９１、鉤部材２９２，２９３、および筐体２１の機枠２１ａに設けた支持部材２９６，２９７から構成されており、正面操作盤２２を閉じると、図５（ａ）に示すように、支持部材２９６，２９７が鉤部材２９２，２９３の凹部に納まった状態になる。そして、図５（ｂ）に示すように、鍵を用いて可動部材２９１が垂直になるまで回すと、ワイヤ２９８に連動して鉤部材２９２，２９３の各々に設けてある可動小片２９４，２９５が突き出して停止する。このとき、鉤部材２９２，２９３は支持部材２９６，２９７にロックされ、施錠された状態となる。
【００１９】
次に、筐体２１の内部構成を説明する。筐体２１の内部は、図４に示すように機枠２１ａを用いて大きく３段に枠組してあり、その各段には正面操作盤２２に配置した上記の各操作部位に対応するように各種機器が収納してある。すなわち、上段にはＣＲＴ表示画面２３５に対応する位置にそのＣＲＴ表示画面２３５に表示するガイダンス画像やプレミアムゲームの画像を制御する画像表示制御装置２５０が、またその画像表示制御装置２５０の下方にはカードＲ／Ｗ２５１が配置してあり、このカードＲ／Ｗ２５１にはカード挿入口２２３に挿入したＩＣカードの読み取り書き込み動作やカード挿入口２２３からの排出動作等を制御するカードＲ／Ｗ制御装置（図示省略）が内蔵してある。このカードＲ／Ｗ２５１はスライドテーブル２５２上に取り付けてあり、メンテナンスを行うときやトラブルが発生したときなどには、スライドさせて筐体２１から引き出せるようになっている。
なお、図４には、上記のカードＲ／Ｗ２５１および後述する紙幣装置２７０を手前に引き出し、また後述する扉２５３を開いた状態が示してある。
【００２０】
機枠２１ａの中段右側には、紙幣挿入口２２６から挿入された紙幣の読み取りや払い出し等の処理、釣り銭用紙幣の貯蔵、回収等を行っている紙幣装置２７０が配置してある。この紙幣装置２７０も、上記のカードＲ／Ｗ２５１と同様に、スライドテーブル２７１上に取り付けてあり、メンテナンスを行うときやトラブルが発生したときなどには、スライドさせて筐体２１から引き出せるようになっている。
【００２１】
機枠２１ａの中段左側には、硬貨投入口２２５から投入された硬貨の読み取りや払い出し等の処理、釣り銭用硬貨の貯蔵、回収等を行っている硬貨装置２５４が配置してある。この硬貨装置２５４は機枠２１ａ前面の一側縁に軸着して開閉自在な扉２５３にねじ止めで取り付けてある。
【００２２】
紙幣装置２７０には、その上端に紙幣挿入口２２６に通じる案内通路２２６ａが、またその下端には紙幣取り出し口２２９に通じる案内通路２２９ａがそれぞれ設けてある。一方、硬貨装置２５４にも、同様にその上端面に硬貨投入口２２５に通じる案内通路２２５ａが、またその下端面には硬貨取り出し口２３０に通じる案内通路２３０ａがそれぞれ設けてある。硬貨装置２５４の上端面には上記の案内通路２２５ａの他に、返却レバー２２４の回転を電気的に検出するレバー検出スイッチ２２４ａが設けてある。
【００２３】
上記の硬貨装置２５４を取り付けた扉２５３の裏側には小型入力装置２６７が配備してある。この小型入力装置２６７は、大型金額付加機２専用のデータ端末器であり、接続コード（図示省略）で主制御装置２Ｍに接続してあり、扉２５３を把手２５３ａで開くとその扉２５３の裏側から取り出して使用できるようになっている。
【００２４】
この小型入力装置２６７には入力キー（図示省略）と１６桁のＬＣＤ表示器（図示省略）が備えてあり、例えば入力キーに割り付けてある「売上」キーを押すと、大型金額付加機２での売上集計をそのＬＣＤ表示器に表示するようになっており、この小型入力装置２６７を用いて大型金額付加機２での売り上げ集計や釣り銭入力の管理を簡易的に行うことができ、またエラーモニタとしても使用することができる。
【００２５】
機枠２１ａの下段側には停電時に一時的に電力を供給する無停電電源装置２６０が設置してあり、その無停電電源装置２６０には電源スイッチ２６０ａがその正面に取り付けてある。
無停電電源装置２６０の上端面には大型金額付加機２全体の動作を制御する主制御装置２Ｍが載置してある。この主制御装置２Ｍには、電源スイッチ２６５およびリセットスイッチ２６６がその正面に取り付けてある。
【００２６】
また、機枠２１ａの最上段で筐体２１との間に形成される空間に通信制御装置２８０が収納してあり、大型金額付加機２は、この通信制御装置２８０および筐体２１上端に突出して設けた光送受信部２ａとを経由して、他の各装置、例えば管理装置との間での情報の送受信を行う。
【００２７】
筐体２１前面の一側縁には、正面操作盤２２の開閉に応じてオンオフするドアスイッチ２６８が設けてあり、大型金額付加機２が不正に開けられるのを監視できるようにしてある。
【００２８】
次に、この発明に係る島設備本体３と大型金額付加機２との取付構造について、図６、図７および図８を用いて説明する。
【００２９】
図６は島設備本体と大型金額付加機との取付構造を示す斜視図、図７は大型金額付加機を裏面から見た図、図８は島設備本体を一端側から見た図である。
【００３０】
島設備本体３は、その一端側に開口部３００が形成してあり、その開口部３００の周縁３１０の複数箇所、例えば４箇所からは、側壁３２０内周面に沿って、細長いプレート状の被取付部３０１，３０２，３０３，３０４が設けてある。
【００３１】
一方、大型金額付加機２にも、その裏面側に、上記の島設備本体３側の周縁３１０と合致する周縁２１０を有する開口部２００が形成してあり、その開口部２００の周縁２１０からは、上記の被取付部３０１，３０２，３０３，３０４に対応するように形成した細長い柱状の取付部２０１，２０２，２０３，２０４が突き出すように設けてある。
【００３２】
また、大型金額付加機２の下端側には、キャスター２１ｂが取り付けてあり、大型金額付加機２は、床面を自在に移動させることができるようになっている。
【００３３】
このような構成の島設備１において、島設備本体３と大型金額付加機２とを合体させるときには、先ず大型金額付加機２を島設備本体３に向けて移動させ、大型金額付加機２の周縁２１０を島設備本体３の周縁３１０に合致させる。この移動は、取付部２０１，２０２，２０３，２０４を被取付部３０１，３０２，３０３，３０４にあてがいつつ行う。周縁２１０と周縁３１０とが合致したとき、取付部２０１，２０２，２０３，２０４と、被取付部３０１，３０２，３０３，３０４とは互いに合致して所定の位置関係となるので、その状態で双方を、例えばネジで固定する。
ネジで固定する場合は、取付部２０１，２０２，２０３，２０４にはネジ挿入用の貫通孔を開けておき、それに対応するように被取付部３０１，３０２，３０３，３０４にネジ山を形成しておき、ネジをその貫通孔に挿入し、ネジ山で締め付けるようにする。
【００３４】
このネジによる固定は、正面操作盤２２の施錠装置２９０を解錠して正面操作盤２２を開き、カードＲ／Ｗ２５１または紙幣装置２７０の一方、あるいはその双方を手前側にスライドさせて引き出しておき、その状態で手を内部に差し入れることにより行う。
【００３５】
また、島設備本体３と大型金額付加機２とを分離させるときには、正面操作盤２２を解錠して開き、カードＲ／Ｗ２５１または紙幣装置２７０の一方、あるいはその双方を手前側にスライドさせ、その状態で手を内部に差し入れて、取付部２０１，２０２，２０３，２０４と、被取付部３０１，３０２，３０３，３０４との固定状態を解除させる。その状態で大型金額付加機２を島設備本体３から引き出す方向に移動させれば、容易に大型金額付加機２を島設備本体３から分離させることができる。
【００３６】
なお、取付部２０１，２０２，２０３，２０４と被取付部３０１，３０２，３０３，３０４との固定は、ネジによる方法に限らず、ボルトナットや、ワンタッチ固着具などによる方法でもよい。
【００３７】
このように、この実施例では、島設備本体３と大型金額付加機２とを、互いに開口して合体させ、一体の島設備１となるように構成したので、島設備１の美観が良くなり、遊技店全体の美観を向上させることができる。
【００３８】
また、大型金額付加機２はその内部で島設備本体３に開口しているので、大型金額付加機２の稼働時に発生する熱は島設備本体３内部のより広い空間に発散することとなる。したがって、大型金額付加機２の内部にファン等の冷却部材を設ける必要もなく、大型金額付加機２をより低コストで制作することができる。
【００３９】
さらに、その際に、大型金額付加機２を島設備本体３に固定するようにしたので、大型金額付加機２を勝手に移動させることができず、大型金額付加機２を単体で設置する場合に比較し、保安上の効果を上げることができる。
【００４０】
また、その固定または固定状態の解除は、大型金額付加機２の正面操作盤２２を解錠した上でなければ行えないようにしたので、施錠装置２９０の鍵を所有している者以外は、大型金額付加機２の固定またはその解除を行うことはできず、この点からも大型金額付加機２の保安性を向上させることができる。
【００４１】
さらに、大型金額付加機２内部のカードＲ／Ｗ２５１などの機器を手前側にスライドして引き出せるように構成したので、手を差し入れて行う上記の固定作業や固定解除作業は、容易に行うことができる。
【００４２】
また、大型金額付加機２と島設備本体３との固定は設備内部で行うので、その固定箇所は外からは見えず、この点からも美観を配慮した取付構造になっている。
【００４３】
さらに、大型金額付加機２はキャスター２１ｂにより容易に動かすことができ、島設備本体３に対して離合自在となるので、大型金額付加機２の交換や、大型金額付加機２以外の別の装置への変更を簡単に行うことができる。
【００４４】
なお、上記の説明では、島設備本体３に大型金額付加機２を合体させるようにしたが、大型金額付加機２に限らず、遊技店で使用する他の設備、例えばプリペイドカードやＩＣカードを発行するカード発行機を合体させるように構成してもよい。
【００４５】
また、上記の説明では、島設備本体３の一端側に開口部３００を形成するようにしたが、一端側だけでなく他端側にも開口部を設け、同様に一端側と他端側に開口部を形成した別の島設備本体と連結させ、順次島設備本体を拡張するようにように構成してもよい。このように島設備本体３の両端に開口部を設けることにより、島設備の規模を自在に調整できるようになる。
また、島設備を湾曲させたり、Ｕ字型にしたいときにはその連結部分にジョイント（アダプタ）を介在させればよい。
【００４６】
上記の連結による拡張に際して、図９に示すように、両側に一対の遊技機３１，３１を有し、一端側および他端側に開口部３００Ａ，３００Ｂを設けた島設備本体３Ａを一つのユニットとし、このユニット化した島設備本体３Ａをその開口部３００Ａ，３００Ｂで順次接続して島設備を拡張していくようにしてもよい。このようなユニット化により、島設備の規模の調整は、よりきめ細かく適正なものとすることができる。また、ユニット化により、島設備本体の量産性が向上するので、コストの低減も図ることができる。
【００４７】
【発明の効果】
以上説明したように請求項１に係る発明の遊技機群設備によれば、遊技機群設備本体の一端側に設備側開口部を形成して、該設備側開口部の周縁に被取付部を設け、上記遊技用装置の裏面側に装置側開口部を形成して、該装置側開口部の周縁に上記被取付部に対応する取付部を設け、上記設備側開口部の周縁と上記装置側開口部の周縁とを合致させ、上記遊技機群設備本体と遊技用装置とを一体的に設けるように構成し、上記遊技用装置の正面側には、施錠装置を備えた開閉自在の開閉ドアを設け、該開閉ドアを開いた状態で、カードＲ／Ｗを手前側にスライドさせて引き出すことにより、上記遊技用装置の取付部と上記遊技機群設備本体の被取付部との固定またはその固定の解除を行える構成としたので、遊技機群設備の美観が良くなり、遊技店全体の美観を向上させることができる。更に、遊技用装置を遊技機群設備本体に固定すれば、遊技用装置を勝手に移動させることができず、遊技用装置を単体で設置する場合に比較し、保安性を良くすることができる。
【００４８】
また、遊技機群設備本体は、他端側にも開口部を設け、一端側に開口部を形成した他の遊技機群設備本体と連結させることで順次拡張可能としたので、遊技機群設備の規模を自在に調整することができる。更に、遊技機群設備本体の一端側における設備側開口部の周縁と、カードＲ／Ｗ及びカードＲ／Ｗ制御装置を内蔵する遊技用装置の装置側開口部の周縁とを合致させ、且つ、遊技機群設備本体は、他端側にも開口部を設け、一端側に開口部を形成した他の遊技機群設備本体と連結させるので、遊技用装置の稼働時に発生する熱は遊技機群設備本体内部のより広い空間に発散することとなる。したがって、遊技機群設備本体の内部にファン等の冷却部材を設ける必要もなく、遊技機群設備本体をより低コストで制作することができる。
【図面の簡単な説明】
【図１】この発明の遊技機群設備の一例としての島設備の斜視図である。
【図２】島設備の側面図である。
【図３】大型金額付加機の正面操作盤の構成を示す図である。
【図４】大型金額付加機の内部構成を示す図である。
【図５】施錠装置の一例を概略的に示す図である。
【図６】島設備本体と大型金額付加機との取付構造を示す斜視図である。
【図７】大型金額付加機を裏面から見た図である。
【図８】島設備本体を一端側から見た図である。
【図９】ユニット化した島設備本体の構成を示す図である。
【符号の説明】
１  島設備
２  大型金額付加機
２Ｍ  主制御装置
３  島設備本体
２１  筐体
２１ａ  機枠
２２  正面操作盤
３１  遊技機
３２  台間金額付加機
３３  装飾ランプ
３４  装飾用プレート
３５  表示部
２００  開口部
２０１，２０２，２０３，２０４  取付部
２１０  周縁
２２２  ガイダンス部
２２３  カード挿入口
２２５  硬貨投入口
２２６  紙幣挿入口
２２７  キャンセルスイッチ
２２９  紙幣取り出し口
２３０  硬貨取り出し口
２３１  １万円付加スイッチ
２３２  ５千円付加スイッチ
２３３  千円付加スイッチ
２３５  ＣＲＴ表示画面
２３６  スピーカ
２５０  画像表示制御装置
２５１  カードＲ／Ｗ
２５２  スライドテーブル
２５４  硬貨装置
２６０  無停電電源装置
２７０  紙幣装置
２７１  スライドテーブル
２８０  通信制御装置
２９０  施錠装置
３００  開口部
３０１，３０２，３０３，３０４  被取付部
３１０  周縁
３２０  側壁
【図１】
0004278009.tif 000002
【図２】
0004278009.tif 000003
【図３】
0004278009.tif 000004
【図４】
0004278009.tif 000005
【図５】
0004278009.tif 000006
【図６】
0004278009.tif 000007
【図７】
0004278009.tif 000008
【図８】
0004278009.tif 000009
【図９】
0004278009.tif 000010